【手続補正書】
【提出日】平成18年4月20日(2006.4.20)
【手続補正１】
【補正対象書類名】明細書
【補正対象項目名】特許請求の範囲
【補正方法】変更
【補正の内容】
【特許請求の範囲】
【請求項１】  映像デコード方法であって、エンコードされた映像データを映像デコーダで受信し、上記映像データをデコードして、デコードされた映像データを形成し、上記デコードされた映像データがエラーを含むかどうか決定し、そしてエラーが存在すると決定されたときに、そのエラーを含む映像データの少なくとも対応する部分の更新を要求する送信側映像エンコーダへ上記映像デコーダから更新要求メッセージを送信し、映像データの対応する部分に対する次のデコードされたデータがエラーを含むかどうか決定することを含む映像デコード方法において、以前の更新要求メッセージが送信されてから所定の時間周期が経過したかどうかを決定し、上記所定の時間周期が経過した場合だけ上記映像データの次の対応する部分に対する更なる更新要求メッセージを送信して、同じエラー部分に対する更新要求メッセージの多重送信を制限することを特徴とする映像デコード方法。
【請求項２】  上記更新要求メッセージは、上記映像シーケンスの全画像の更新を要求する請求項１に記載の方法。
【請求項３】  上記更新要求メッセージは、上記映像シーケンスのある画像のあるセグメントの更新を要求する請求項１に記載の方法。
【請求項４】  上記所定の時間周期は、映像デコーダと映像エンコーダとの間のラウンドトリップ遅延に比例する請求項１又は２又は３に記載の方法。
【請求項５】  上記次のデコードされた映像データの変化量を対応領域に対する以前の画像データと比較し、上記更なる更新要求メッセージは、この変化量が所定のスレッシュホールドを越え且つ上記所定の時間周期が経過した場合に、送られる請求項１から４のうちのいずれか１項に記載の方法。
【請求項６】  上記更なる更新要求メッセージは、以前の画像における動きの量が所定のスレッシュホールドを越え且つ上記所定の時間周期が経過した場合に、送られる請求項１から５のうちのいずれか１項に記載の方法。
【請求項７】  上記デコードされた映像データがエラーを含むと決定されるとき、そのエラーを含む画像の領域が隠蔽される請求項１に記載の方法。
【請求項８】  画像がデコードされ得ないようにエラーが存在すると決定されるとき、その画像の全ての部分が隠蔽されるようにラベル付けされ、次の画像がデコードされる請求項７に記載の方法。
【請求項９】  映像デコード装置（２００）であって、エンコードされた映像データを受信する手段（５０、６０）と、上記映像データをデコードして、デコードされた映像データを形成する手段（１２０、１２１、１２３、１２４）と、上記デコードされた映像データがエラーを含むかどうか決定する手段（１２４）と、エラーを含む映像データの少なくとも対応する部分の更新を要求する送信側映像エンコーダへ更新要求メッセージを送信する手段（１２４）と、映像データの対応する部分に対する次のデコードされたデータがエラーを含むかどうか決定する手段とを備える映像デコード装置において、以前の更新要求メッセージが送信されてから所定の時間周期が経過したかどうかを決定する決定手段を更に備え、上記所定の時間周期が経過した場合だけ上記映像データの次の対応する部分に対する更なる更新要求メッセージを送信して、同じエラー部分に対する更新要求メッセージの多重送信を制限するように構成されたことを特徴とする映像デコード装置。
【請求項１０】  上記次のデコードされた映像データの変化量を対応領域に対する以前の画像データと比較する手段を更に備え、該変化量が所定のスレッシュホールドを越え且つ上記所定の時間周期が経過した場合に、上記更なる更新要求メッセージを送信するように構成されている請求項９に記載の映像デコード装置。
【請求項１１】  上記更なる更新要求メッセージは、以前の画像における動きの量が所定のスレッシュホールドを越え且つ上記所定の時間周期が経過した場合に、送信される請求項９又は１０に記載の映像デコード装置。
【請求項１２】  請求項９から１１のうちのいずれか１項に記載の映像デコード装置を備える移動無線装置。
【請求項１３】  請求項１から８のうちのいずれか１項に記載の映像デコード方法に基づいて動作するように構成された移動無線装置。
【請求項１４】  複数の映像画像を含む映像シーケンスをエンコードしてエンコードされた映像データを形成する方法であって、上記エンコードされた映像データは、エンコードハイアラーキー構造を有し、該エンコードハイアラーキー構造は、第１のエンコード層及び第２の下位エンコード層を含む多数のエンコード層を備え、上記第２の下位エンコード層は、映像画像の部分部分に対応しているような方法において、上記第１のエンコード層でエンコードされた映像データのイントラコード化更新を要求する更新要求メッセージを受信し、該更新要求メッセージに応答して、上記映像シーケンスの相続く画像にわたって連続的に上記第２の下位エンコード層で要求された映像データの更新を与えることを特徴とする方法。
【請求項１５】  上記第１のエンコード層は、画像層であり、上記更新要求メッセージは、上記映像シーケンスの全画像の更新を要求する請求項１４に記載の方法。
【請求項１６】  上記第１のエンコード層は、ブロックのグループの層であり、上記更新要求メッセージは、ブロックの全グループの更新を要求する請求項１４に記載の方法。
【請求項１７】  上記第２の下位エンコード層は、マクロブロック層である請求項１４に記載の方法。
【請求項１８】  上記第１のエンコード層は、画像層であり、上記更新要求メッセージは、上記映像シーケンスの全画像の更新を要求し、上記第２の下位エンコード層は、マクロブロック層であり、更に、上記映像シーケンスの送信の開始からの時間経過を測定し、上記更新要求メッセージが上記映像シーケンスの送信の開始からの所定の時間周期（Ｓ）内に受信される場合に上記画像層でエンコードされた映像データのイントラコード化更新を与えることを含む請求項１４に記載の方法。
【請求項１９】  所定の時間周期（Ｉ）にて受信される更新要求メッセージの数を測定し、所定の数（Ｒ）より多い更新要求メッセージが上記所定の時間周期（Ｉ）にて受信される場合に上記画像層でエンコードされた映像データのイントラコード化更新を与えることを更に含む請求項１４に記載の方法。
【請求項２０】  上記第１のエンコード層は、ブロックのグループ（ＧОＢ）の層であり、上記更新要求メッセージは、映像画像のブロックの全グループの更新を要求し、上記第２の下位エンコード層は、マクロブロック層であり、更に、エンコードされるべき次の画像におけるブロックの要求されたグループのマクロブロックを以前の画像における対応するマクロブロックと比較し、上記ブロックの要求されたグループのマクロブロックのうちのどれが上記以前の画像に対して最も変化しているかを識別し、最も変化しているものから先に上記映像シーケンスの相続く画像にわたって連続的に上記ブロックの要求されたグループのマクロブロックのイントラコード化更新を与えることを含む請求項１４に記載の方法。
【請求項２１】  Ｈ．２４５基準に基づいて実施される制御チャンネルを通して上記更新要求メッセージを受信することを含む請求項１４に記載の方法。
【請求項２２】  複数の映像画像を含む映像シーケンスをエンコードしてエンコードされた映像データを形成する装置であって、上記エンコードされた映像データは、エンコードハイアラーキー構造を有し、該エンコードハイアラーキー構造は、第１のエンコード層及び第２の下位エンコード層を含む多数のエンコード層を備え、上記第２の下位エンコード層は、映像画像の部分部分に対応しているような装置において、上記第１のエンコード層でエンコードされた映像データのイントラコード化更新を要求する更新要求メッセージを受信する入力と、該更新要求メッセージに応答して、上記映像シーケンスの相続く画像にわたって連続的に上記第２の下位エンコード層で要求された映像データの更新を与える処理回路とを備えることを特徴とする装置。
【請求項２３】  上記第１のエンコード層は、画像層であり、上記更新要求メッセージは、上記映像シーケンスの全画像の更新を要求する請求項２２に記載の装置。
【請求項２４】  上記第１のエンコード層は、ブロックのグループの層であり、上記更新要求メッセージは、ブロックの全グループの更新を要求する請求項２２に記載の装置。
【請求項２５】  上記第２の下位エンコード層は、マクロブロック層である請求項２２に記載の装置。
【請求項２６】  上記第１のエンコード層は、画像層であり、上記更新要求メッセージは、上記映像シーケンスの全画像の更新を要求し、上記第２の下位エンコード層は、マクロブロック層であり、上記処理回路は、更に、上記映像シーケンスの送信の開始からの時間経過を測定し、上記更新要求メッセージが上記映像シーケンスの送信の開始からの所定の時間周期（Ｓ）内に受信される場合に上記画像層でエンコードされた映像データのイントラコード化更新を与えるように構成されている請求項２２に記載の装置。
【請求項２７】  上記処理回路は、所定の時間周期（Ｉ）にて受信される更新要求メッセージの数を測定し、所定の数（Ｒ）より多い更新要求メッセージが上記所定の時間周期（Ｉ）にて受信される場合に上記画像層でエンコードされた映像データのイントラコード化更新を与えるように構成されている請求項２２に記載の装置。
【請求項２８】  上記第１のエンコード層は、ブロックのグループ（ＧОＢ）の層であり、上記更新要求メッセージは、映像画像のブロックの全グループの更新を要求し、上記第２の下位エンコード層は、マクロブロック層であり、上記処理回路は、更に、エンコードされるべき次の画像におけるブロックの要求されたグループのマクロブロックを以前の画像における対応するマクロブロックと比較し、上記ブロックの要求されたグループのマクロブロックのうちのどれが上記以前の画像に対して最も変化しているかを識別し、最も変化しているものから先に上記映像シーケンスの相続く画像にわたって連続的に上記ブロックの要求されたグループのマクロブロックのイントラコード化更新を与えるように構成されている請求項２２に記載の装置。
【請求項２９】  Ｈ．２４５基準に基づいて実施される制御チャンネルを通して上記更新要求メッセージを受信するように構成されている請求項２２に記載の装置。